(57)【特許請求の範囲】
【請求項１】
貯水タンク式水洗トイレの貯水タンク上蓋上に配置可能な供給具本体と、この供給具本体の底面部上に配置された薬剤保持体と、液状の薬剤を収容するとともにこの薬剤を導出する導出孔が設けられた薬剤容器とを備え、この薬剤容器を前記供給具本体に支持して前記導出孔から薬液を導出し、前記薬剤保持体に供給する水洗トイレ用薬剤供給具であって、
前記供給具本体の底面部に、前記貯水タンク上蓋に設けられている穴に遊嵌する脚部と、放水タップから前記貯水タンク上蓋上に流下した水が入出する開口部とが設けられ、周面部に通気口が設けられるとともに、上面部に前記薬剤保持体をその上方にて覆うカバー手段が設けられたことを特徴とする水洗トイレ用薬剤供給具。
【請求項２】
前記水を前記開口部内に案内するガイド部材がさらに設けられたことを特徴とする請求項１記載の水洗トイレ用薬剤供給具。
【発明の詳細な説明】
【０００１】
【発明の属する技術分野】
本発明は、貯水タンク式水洗トイレの貯水タンク上蓋に載置して使用される水洗トイレ用薬剤供給具に関する。
【０００２】
【従来の技術】
従来の水洗トイレ用薬剤供給具としては、例えば図３に示すように液状の薬剤を用いるものが提案されている（特開平２−２２９３３３号公報）。すなわち、水洗トイレ用薬剤供給具１０１は、補助台１０２と、この補助台１０２上に配置された含浸体１０３、この含浸体１０３上に配置された薬剤容器１０４とを有している。薬剤容器１０４には、その内部に液状の薬剤が収容され、下端部に導出孔１０５が設けられている。
【０００３】
かかる構成において使用に際しては、水洗トイレ用薬剤供給具１０１を貯水タンク式水洗トイレの貯水タンク上蓋１０６上であって、放水タップ１０７の直下に配置しておく。そして、放水タップ１０７から水を放出させると、水が含浸体１０３上を流下して含浸されている薬剤を溶解させた後、上蓋１０６に設けられている穴１０８から貯水タンク内に流入する。この貯水タンク内に流入した薬剤を溶解した水は、次のフラッシュ時に便器内に供給されて洗浄に供される。
【０００４】
また、非放水時には、薬剤容器１０４の導出孔１０５から導出した薬剤が含浸体１０３に含浸した後揮散することにより、周囲空間に薬剤効果を発生させることもできる。
【０００５】
【発明が解決しようとする課題】
しかしながら、このような従来の水洗トイレ用薬剤供給具にあっては、放水タップ１０７から水を含浸体１０３上に直接流下させることから、１回の放水によって、含浸体１０３から流失される薬剤が多量となる。このため、１回の放水当たりに流失する薬剤が過剰となって薬剤が無駄になるとともに、所定の使用可能期間を満了する前に薬剤容器１０４内の薬剤が早期に消失してしまう。
【０００６】
また、薬剤容器１０４内は、収容されている薬剤の減少に伴って負圧となる。あるいは、周囲温度が高くこれに伴って薬剤容器１０４の内部温度が高い条件下においては、これより低温である放水タップ１０７からの水が薬剤容器１０４に流下することにより、薬剤容器１０４内が負圧となる。このため、含浸体１０３上に水が直接流下すると、この含浸体１０３上の水が薬剤容器１０４の負圧により、該薬剤容器１０４内に吸引されてしまう。その結果、薬剤容器１０４内の薬剤が使用期間の経過に伴って希釈され、その濃度を使用終期まで適正に維持することができない。
【０００７】
さらに、補助台１０２は単に、上蓋１０６に載置される構成であることから、放水タップ１０７から流下する水の水圧により転倒し、あるいは位置ずれしてしまう。このため、転倒により正常に機能しなくなるとともに、位置ずれにより放水タップ１０７からの水が含浸体１０３に上に流下しなくなって、含浸されている薬剤を溶解させることが不可能となる。
【０００８】
そこで、前記公報に開示され図４に示すように、含浸体１０３を薬剤容器１０４よりも遙かに小径にしてその下部に配置するとともに、貯水タンク上蓋１０６の穴１０８に遊嵌させた構成も提案されるに至っている。かかる構成によれば、穴１０８に遊嵌された含浸体１０３により、放水タップ１０７から流下する水の水圧により転倒や位置ずれを防止することができる。
【０００９】
しかしその反面、含浸体１０３の主要部分が穴１０８よりタンク内に挿入されていることから、含浸体１０３から周囲空間への薬剤揮散量が少なく、周囲空間に薬剤効果を発生させることができない。しかも、放水タップ１０７からの水は全て必ず穴１０８を通過することから、放水タップ１０７からの全ての水が含浸体１０３と接触することとなる。このため、前述と同様に、１回の放水によって、含浸体１０３から流失される薬剤が多量となり、所定の使用可能期間を満了する前に薬剤容器１０４内の薬剤が早期に消失してしまう。
【００１０】
本発明は、このような従来の課題に鑑みてなされたものであり、転倒や位置ずれなく、周囲空間へ十分に薬剤を揮散させつつ、適正量で薬剤を溶解させ、さらには薬剤の希釈化を防止することのできる水洗トイレ用薬剤供給具を提供することを目的とするものである。
【００１１】
【課題を解決するための手段】
前記課題を解決するために本発明にあっては、貯水タンク式水洗トイレの貯水タンク上蓋上に配置可能な供給具本体と、この供給具本体の底面部上に配置された薬剤保持体と、液状の薬剤を収容するとともにこの薬剤を導出する導出孔が設けられた薬剤容器とを備え、この薬剤容器を前記供給具本体に支持して前記導出孔から薬液を導出し、前記薬剤保持体に供給する水洗トイレ用薬剤供給具であって、前記供給具本体の底面部に、前記貯水タンク上蓋に設けられている穴に遊嵌する脚部と、放水タップから前記貯水タンク上蓋上に流下した水が入出する開口部とが設けられ、周面部に通気口が設けられるとともに、上面部に前記薬剤保持体をその上方にて覆うカバー手段が設けられている。
【００１２】
したがって、供給具本体の底面部に設けられた貯水タンク上蓋の穴に遊嵌する脚部により、転倒が防止されて、適正な使用状態が維持される。また、薬剤容器の導出孔から薬剤保持体に導出された薬剤は、供給具本体の周部に設けられている通気口から外部に揮散し、これにより周囲空間に十分な薬剤効果が発生する。
【００１３】
また、供給具本体の上面部には、薬剤保持体をその上方にて覆うカバー手段が設けられていることから、放水タップからの水が薬剤保持体に直接流下することはなく、水の直接流下による過剰な薬剤の流失は防止される。
【００１４】
すなわち、放水タップからの水は、タンク上蓋上に流下した後、底面部に設けられている開口部から流入し、薬剤保持体に導出されている薬剤を溶解させる。したがって、必ずしも全ての水が開口部から流入するとは限らず、開口部の面積に応じて流入する水の量を制御することができる。よって、流入する水の量により、溶解する薬剤の量を制御して、適正に維持することができる。
【００１５】
さらに、このように放水タップからの水が薬剤保持体上に流下することはないことから、薬剤容器の内部が収容されている薬剤の減少に伴って負圧となったり、放水タップからの水により冷却されて負圧となっても、薬剤保持体上に流下した水が薬剤容器内に吸引されてしまう現象が発生することもない。よって、薬剤容器内の薬剤が使用期間の経過に伴って希釈されることはなく、その濃度は使用終期まで適正に維持される。
【００１６】
また、本発明は、前記水を前記開口部内に案内するガイド部材がさらに設けられている。したがって、開口部の面積のみならず、このガイド部材の大きさや角度より、微妙に流入する水の量を制御することができる。よって、流入する水量の微妙な制御により、溶解する薬剤の量をより適正に維持することができる。
【００１７】
【発明の実施の形態】
以下、本発明の一実施の形態について図にしたがって説明する。すなわち、図１、２に示すように、水洗トイレ用薬剤供給具１は、供給具本体２、含浸体４、カバー部材６、及び薬剤容器７とで構成されている。
【００１８】
供給具本体２は、貯水タンク式水洗トイレの貯水タンク上蓋１０６上に配置可能な大きさであって、平面視において矩形であり、底面部２１、前面部２２、背面部２３及び左右側面部２４、２５を一体的に有する上面開放状の部材である。底面部２１の中心部には、円形孔２６が形成され、該円形孔２６の周部には、貯水タンク上蓋１０６に設けられている穴１０８に遊嵌する複数の長尺脚部２７が垂設されている。
【００１９】
長尺脚部２７の周部には、底面部２１と同一高さで放射状に複数の上部リブ２８が形成されており、各上部リブ２８の間にはこれよりもやや低い位置に複数の下部リブ２９が放射状に形成されている。各上部リブ２８の長さ方向の略中央部には該上部リブ２８と直交する方向に、隣接する下部リブ２９間に亙って、ガイド部材としての邪魔板３０が突設されている。これにより、上部リブ２８と下部リブ２９間には、邪魔板３０よりも外側の流入用開口部３１と、邪魔板３０よりも内側の流出用開口部３２とが形成されている。
【００２０】
さらに、底面部２１には、前記両開口部３１、３２よりも外側に、前記貯水タンク上蓋１０６に当接する複数の短尺脚部３３が垂設され、短尺脚部３３間には、周部に上方へ突出した縁部を有する係合孔３４が形成されている。また、係合孔３４の外側であって、底面部２１の左右両端部には、矩形状の両側開口部３５、３５が形成されている。
【００２１】
一方、前面部２２には、上下方向に複数の通気口３６が設けられ、左右側面部２４、２５の内面には、仕切リブ３７、３７が上下方向に形成されている。
【００２２】
前記含浸体４は、底面部２１のほぼ全面に配置し得る大きさの板体であって、液体を含浸し得る合成樹脂、あるいは濾紙からなり、供給具本体２の底面部２１上に配置されている。
【００２３】
なお、この実施の形態においては、薬剤保持体として含浸体４を用いるようにしたが、フィルム等の含浸機能を具備しない部材を薬剤保持体として用いるようにしてもよい。
【００２４】
カバー部材６は、仕切リブ３７、３７の上端部を結ぶ仮想線から背面部２３の上縁部までの空間を覆い得る大きさであって、薬液容器７と相俟って本実施の形態においてカバー手段を構成するものである。このカバー部材６の前縁中央部には凸部６１が形成され、左右側面部２４、２５の仕切リブ３７、３７よりも背面側の上縁部と、背面部２３の上縁部とに周部を接合して固定されている。
【００２５】
薬剤容器７は、正面視において矩形の容器であって、下端部中央に導出孔７１を有し、供給具本体２の前面部２２と仕切リブ３７、３７との間に配置可能な厚さを有している。薬剤容器７の前面及び左右両側面の下部には、供給具本体２の前面部２２上縁と左右側面部２４、２５上縁とに係合する段部７２が形成され、背面の下部には前記カバー部材６の凸部６１に応じた形状の凹部７３が形成されている。また、前記導出孔７１は周部に下方へ突出する突縁を有し、この突縁には軟質樹脂からなる嵌合部材７４が取り付けられている。
【００２６】
薬剤容器７の内部には、液状の薬剤が収容されており、この薬剤は、各種洗浄剤、漂白剤、酸素剤、殺菌剤、忌避剤、殺虫剤、空気洗浄剤、消臭剤、脱臭剤、芳香剤、ブルー染料等が適宜選択されて混入されてなる。また、使用開始前の状態において薬剤容器の導出孔７１は、剥離可能なシールにより閉鎖されている。
【００２７】
以上の構成にかかる本実施の形態において、水洗トイレ用薬剤供給具１の使用を開始するに際しては、薬剤容器７の導出孔７１からシールを除去した後、天地逆にして供給具本体２にセットする。これより、薬剤容器７内の薬剤は、導出孔７１を通流して含浸体４に含浸する。
【００２８】
また、段部７２が供給具本体２の前面部２２上縁と左右側面部２４、２５上縁とに係合すること、及び凹部７３がカバー部材６の凸部６１に係合することにより、薬剤容器７は供給具本体２に固定されてセットされる。
【００２９】
そして、このように薬剤容器７が供給具本体２にセットされたならば、長尺脚部２７を貯水タンク式水洗トイレの貯水タンク上蓋１０６の穴１０８に遊嵌し、短尺脚部３３を穴１０８の周部にて前記貯水タンク上蓋１０６に当接させることにより、水洗トイレ用薬剤供給具１が使用状態となる。この使用状態において、含浸体４に含浸している薬剤は、通気口３６を介して外部へ自在に揮散し、これにより周囲空間に十分な薬剤効果を発生させることができる。
【００３０】
この使用状態において、放水タップ１０７（図３参照）から水を放出させると、放水タップ１０７が穴１０８の直上にある場合には、放水タップ１０７からの水が直接水洗トイレ用薬剤供給具１に流下して、水洗トイレ用薬剤供給具１は水圧を受ける。しかし、長尺脚部２７が貯水タンク上蓋１０６の穴１０８に遊嵌していることから、水圧を受けても水洗トイレ用薬剤供給具１が転倒することはなく、正常に使用状態を維持することができる。
【００３１】
また、含浸体４の上部は、その前面側部分を薬剤容器７によって覆われ、背面側部分をカバー部材６によって覆われている。したがって、放水タップ１０７から水が水洗トイレ用薬剤供給具１に直接流下しても、含浸体４に直接流下することはなく、水の直接流下による過剰な薬剤の流失は防止される。
【００３２】
さらに、このように放水タップ１０７からの水が含浸体４上に流下することはないことから、薬剤容器７の内部が収容されている薬剤の減少に伴って負圧となっても、含浸体４上に流下した水が薬剤容器内に吸引されてしまう現象が発生することもない。よって、薬剤容器７内の薬剤が使用期間の経過に伴って希釈されることはなく、その濃度を使用終期まで適正に維持することができる。
【００３３】
また、放水タップ１０７からの水は、水はタンク貯水タンク上蓋１０６の表面に沿って穴１０８方向に流動する際に、邪魔板３０により流動を阻害されて、流入用開口部３１から供給具本体２内に流入する。この供給具本体２内に流入した水は、含浸体４に含浸されている薬剤を溶解させ、しかる後に、流出用開口部３２及び円形孔２６から流出し、穴１０８より貯水タンク内に流下して、貯水タンク内に貯留する。
【００３４】
このとき、放水タップ１０７から吐出した水は、必ずしもその全てが流入用開口部３１から供給具本体２内に流入するとは限らず、該供給具本体２内への流入量は、流入用開口部３の面積、邪魔板３０の大きさや角度に応じた量となる。したがって、流入用開口部３の面積、邪魔板３０の大きさや角度をチューニングしつつ設計を行うことにより、流入する水の量を制御することができる。よって、流入する水の量により、含浸体４から溶解する薬剤の量を制御して、適正に維持することができる。
【００３５】
また、放水タップ１０７からの単位時間当たりの放水量が多い場合には、水は流入用開口部３１から流入して流出用開口部３２及び円形孔２６から流出するのみならず、両側開口部３５から流入しあるいは流出する。したがって、この場合には、供給具本体２内への水の流入量が増大し、含浸体４からの薬剤の溶解量も増大する。よって、ユーザが放水タップ１０７からの単位時間当たりの放水量を調整することにより、ユーザ各々が含浸体４からの薬剤の溶解量を調整することもできる。
【００３６】
なお、本実施の形態においては、前面部２２に通気口３６を設けるようにしたが、背面部２３や左右側面部２４、２５に設けるようにしてもよい。また、本実施の形態においては、薬剤容器７とカバー部材６とによって、カバー手段を構成するようにしたが、薬剤容器７のみによりカバー手段を構成するようにしてもよい。
【００３７】
【発明の効果】
以上説明したように本発明によれば、
▲１▼供給具本体の底面部に貯水タンク上蓋の穴に遊嵌する脚部を設けるようにしたことから、転倒や位置ずれを防止して適正な使用状態を維持することができる。
▲２▼供給具本体の周部に通気口を設けるようにしたことから、薬剤保持体に導出された薬剤を外部に揮散させて、周囲空間に十分な薬剤効果を発生させることができる。
▲３▼薬剤保持体の上方を覆うカバー手段を設けるようにしたことから、放水タップからの水が薬剤保持体に直接流下することを回避して、水の直接流下による過剰な薬剤の流失を防止することができる。
▲４▼放水タップからの水が薬剤保持体に直接流下するこを回避できる結果、薬剤容器の内部が、収容されている薬剤の減少や放水タップからの水による冷却に伴って負圧となっても、水が薬剤容器内に吸引されてしまう現象が発生なく、薬剤容器の薬剤濃度を使用終期まで適正に維持することができる。
▲５▼供給具本体の底面部に、放水タップから貯水タンク上蓋上に流下した水が入出する開口部を設けるようにしたことから、開口部の面積に応じて流入する水の量を制御することができ、流入する水の量により溶解する薬剤の量を制御して、該溶解する薬剤の量を適正に維持することができる。
【００３８】
よって、以上の▲１▼〜▲５▼により、転倒や位置ずれなく、周囲空間へ十分に薬剤を揮散させつつ、適正量で薬剤を溶解させ、さらには薬剤の希釈化を防止することが可能となる。
【００３９】
また、放水タップから貯水タンク上蓋上に流下した水を前記開口部内に案内するガイド部材がさらに設けるようにしたことから、開口部の面積のみならず、ガイド部材の大きさや角度より、微妙に流入する水の量を制御することができる。よって、流入する水の量の微妙な制御により、溶解する薬剤の量をより一層適正に維持することができる。
【図面の簡単な説明】
【図１】本発明の一実施の形態を示す分解斜視図である。
【図２】同実施の形態における各部材を結合した状態における図１ａ−ａ線矢示断面図である。
【図３】従来の水洗トイレ用薬剤供給具を示す斜視図である。
【図４】他の従来の水洗トイレ用薬剤供給具を示す垂直断面図である。
【符号の説明】
１    水洗トイレ用薬剤供給具
２    供給具本体
４    含浸体
６    カバー部材
７    薬剤容器
２１    底面部
２７    長尺脚部
３０    邪魔板
３１    流入用開口部
３２    流出用開口部
７１    導出孔
１０６    貯水タンク上蓋
１０８    穴
【図１】
0004414630.tif 000002
【図２】
0004414630.tif 000003
【図３】
0004414630.tif 000004
【図４】
0004414630.tif 000005